【手続補正書】
【提出日】平成20年3月1日(2008.3.1)
【手続補正１】
【補正対象書類名】明細書
【補正対象項目名】０００６
【補正方法】変更
【補正の内容】
【０００６】
したがって、研磨用途に用いる複合研磨剤、官能化ダイヤモンド及びレジンボンド母材が必要とされている。さらに、かかる官能化ダイヤモンド及びレジンボンド母材に高強度の結合を付与する方法が必要とされている。
この出願の発明に関連する先行技術文献情報としては、以下のものがある（国際出願日以降国際段階で引用された文献及び他国に国内移行した際に引用された文献を含む）。
【特許文献１】米国特許第５，５９３，７８３号明細書
【非特許文献１】ヨシノリ  イケダ（Ｙｏｓｈｉｎｏｒｉ  Ｉｋｅｄａ），タケヤス  サイトウ（Ｔａｋｅｙａｓｕ  Ｓａｉｔｏ），カツキ  クサカベ（Ｋａｔｓｕｋｉ  Ｋｕｓａｋａｂｅ），シゲハル  モロオカ（Ｓｈｉｇｅｈａｒｕ  Ｍｏｒｏｏｋａ），ヒデアキ  マエダ（Ｈｉｒｏａｋｉ  Ｍａｅｄａ），ユキ  タニグチ（Ｙｕｋｉ  Ｔａｎｉｇｕｃｈｉ），及びユウゾウ  フジワラ（Ｙｕｚｏ  Ｆｕｊｉｗａｒａ），「有機溶媒中の反応によるダイヤモンド表面のハロゲン化とブチル化（Ｈａｌｏｇｅｎａｔｉｏｎ  ａｎｄ  Ｂｕｔｙｌａｔｉｏｎ  ｏｆ  Ｄｉａｍｏｎｄ  Ｓｕｒｆａｃｅｓ  Ｂｙ  Ｒｅａｃｔｉｏｎｓ  ｉｎ  Ｏｒｇａｎｉｃ  Ｓｏｌｖｅｎｔｓ）」，エレセヴィエア  ダイヤモンドと関連物質（Ｅｌｅｓｅｖｉｅｒ，Ｄｉａｍｏｎｄ  ａｎｄ  Ｒｅｌａｔｅｄ  Ｍａｔｅｒｉａｌｓ），１９９８年，第７巻，ｐ．８３０−８３４
【非特許文献２】ジョン  Ｂ．ミラー、及びダンカン  Ｗ．ブラウン，「光化学的に修飾したダイヤモンドフィルムの特性（Ｐｒｏｐｅｒｔｉｅｓ  ｏｆ  Ｐｈｏｔｏｃｈｅｍｉｃａｌｌｙ  Ｍｏｄｉｆｉｅｄ  Ｄｉａｍｏｎｄ  Ｆｉｌｍｓ）」、エレセヴィエア  ダイヤモンドと関連化合物（Ｅｌｅｓｅｖｉｅｒ，Ｄｉａｍｏｎｄ  ａｎｄ  Ｒｅｌａｔｅｄ  Ｍａｔｅｒｉａｌｓ），１９９５年，第４巻、ｐ．４３５−４４０
【非特許文献３】Ｏ．セムチノバ（Ｏ．Ｓｅｍｃｈｉｎｏｖａ），Ｄ．ウフマン（Ｄ．Ｕｆｆｍａｎｎ），Ｈ．ネフ（Ｈ．Ｎｅｆｆ），及びＥＰ  スミノブ（ＥＰ  Ｓｍｉｒｎｏｖ），「ダイヤモンドセラミックスに対する微結晶ダイヤモンド粉末の成長、調製、及び表面修飾（Ｇｒｏｗｔｈ，  Ｐｒｅｐａｒａｔｉｏｎ  ａｎｄ  Ｓｕｒｆａｃｅ  Ｍｏｄｉｆｉｃａｔｉｏｎ  ｏｆ  Ｍｉｃｒｏｃｒｙｓｔａｌｌｉｎｅ  Ｄｉａｍｏｎｄ  Ｐｏｗｄｅｒ  ｆｏｒ  ｔｈｅ  Ｓｙｎｔｈｅｓｉｓ  ｏｆ  Ｄｉａｍｏｎｄ  Ｃｅｒａｍｉｃｓ）」、エレセヴィエア  欧州セラミック会雑誌（Ｅｌｅｓｅｖｉｅｒ，Ｊｏｕｒｎａｌ  ｏｆ  ｔｈｅ  Ｅｕｒｏｐｉｅａｎ  Ｃｅｒａｍｉｃ  Ｓｏｃｉｅｔｙ），１９９６年，第１６巻，ｐ．７５３−７５８
【非特許文献４】ＭＴ  ブリック（ＭＴ  Ｂｒｙｋ），ＮＮ  バグレイ（ＮＮ  Ｂａｇｌｅｉ），ＥＰ  スミノブ（ＥＰ  Ｓｍｉｒｎｏｖ），ＳＫ  ゴルデブ（ＳＫ  Ｇｏｒｄｅｅｖ），ＡＦ  バーバン（ＡＦ  Ｂｕｒｂａｎ），及びＶＢ  アレスコブスキ（ＶＢ  Ａｌｅｓｋｏｖｓｋｉｉ），「オリゴマーと官能基を有するダイヤモンド粉末表面との間の反応（Ｒｅａｃｔｉｏｎ  Ｂｅｗｅｅｎ  Ｏｌｉｇｏｍｅｒｓ  ａｎｄ  ｔｈｅ  Ｓｕｒｆａｃｅ  ｏｆ  Ｄｉａｍｏｎｄ  Ｐｏｗｄｅｒ  Ｃｏｎｔａｉｎｉｇ  Ｆｕｎｃｔｉｏｎａｌ  Ｇｒｏｕｐｓ）」、米国化学会誌（Ｊ．Ａｍ．  Ｃｈｅｍ．  Ｓｏｃ．），１９８４年，ｐ．７８２−７８５
【非特許文献５】ＡＥ  サイロ（ＡＥ  Ｓｈｉｌｏ），ＶＡ  シビデルスキ（ＶＡ  Ｓｖｉｄｅｒｓｋｉｉ）、及びＥＡ  パシュチェンコ（ＥＡ  Ｐａｓｈｃｈｅｎｋｏ），「修飾された合成ダイヤモンドとエルバーの新油性特性（Ｏｌｅｏｐｈｉｌｉｃ  Ｃｈａｒａｃｔｅｒ  ｏｆ  Ｍｏｄｉｆｉｅｄ  Ｓｙｎｔｈｅｔｉｃ  Ｄｉａｍｏｎｄｓ  ａｎｄ  Ｅｌｂｅｒ）」，ソバリン超硬質物質雑誌（Ｓｏｖ．Ｊ．Ｓｕｐｅｒｈａｒｄ  Ｍａｔｅｒｉａｌ），１９８６年，第８巻，第２２号，ｐ．２７−３１
【非特許文献６】ＦＢ  ダニロバ（ＦＢ  Ｄａｎｉｌｏｖａ）、ＡＥ  ゴルブノバ（ＡＥ  Ｇｏｒｂｕｎｏｖａ）、ＡＦ  バーバン（ＡＦ  Ｂｕｒｂａｎ）、ＳＫ  ゴルデブ（ＳＫ  Ｇｏｒｄｅｅｖ）、及びＶＡ  マンザー（ＶＡ  Ｍａｎｚｈａｒ），「工具、粉末とペースト（Ｔｏｏｌｓ，  Ｐｏｗｄｅｒｓ  ａｎｄ  Ｐａｓｔｅｓ）」，ソバリン超硬質物質雑誌（Ｓｏｖ．Ｊ．  Ｓｕｐｅｒｈａｒｄ  Ｍａｔｅｒｉａｌ），１９８９年，第１１巻，第５号，ｐ．４１−４５
【非特許文献７】Ｒ．サポック（Ｒ．Ｓａｐｐｏｋ），及びＨＰ  ボエム（ＨＰ  Ｂｏｅｈｍ），「Ｃｈｅｍｉｅ  Ｄｅｒ  Ｏｂｅｒｆｌａｃｈｅ  Ｄｅｓ  Ｄｉａｍａｎｔｅｎ  −−Ｉ．Ｂｃｎｅｔｓｕｎｇｓｗａｒｍｅｎ，Ｅｌｅｋｔｒｏｎｅｎｓｐｉｎｒｅｓｏｎａｎｚ  Ｕｎｄ  Ｉｎｆｒａｒｏｔｓｐｅｋｔｒｅｎ  Ｄｅｒ  Ｏｂｅｒｆｌａｃｈｅｎ−Ｈｙｄｒｉｄｅ，Ｈａｌｏｇｅｎｉｄｅ  Ｕｎｄ  Ｏｘｉｄｅ」，英国（Ｐｒｉｎｔｅｄ  ｉｎ  Ｇｒｅａｔ  Ｂｒｉｔａｉｎ），炭素  ペルガモンプレス（Ｃａｒｂｏｎ，  Ｐｅｒｇａｍｏｎ  Ｐｒｅｓｓ），１９６８年，第６巻，ｐ．２８３−２９５
【非特許文献８】ＶＩ  マカルスキー（ＶＩ．Ｍａｋａｌ’ｓｋｉｉ），ＶＦ  ロクテフ（ＶＦ  Ｌｏｋｔｅｖ），ＩＶ  ストヤノーバ（ＩＶ  Ｓｔｏｙａｎｏｖａ），ＡＳ  クリンキン（ＡＳ  Ｋｌｉｎｋｉｎ），ＧＳ  リツボク（ＧＳ  Ｌｉｔｖａｋ），ＥＭモロズ（ＥＭ  Ｍｏｒｏｚ），及びＶＡ  リクホロボフ（ＶＡ  Ｌｉｋｈｏｌｏｂｏｖ），「超微細ダイヤモンドの表面修飾（Ｍｏｄｉｆｉｃａｔｉｏｎ  ｏｆ  ｔｈｅ  Ｓｕｒｆａｃｅｓ  ｏｆ  Ｕｌｔｒａｆｉｎｅ  Ｄｉａｍｏｎｄｓ）」，Ｖｌｉｙａｎｉｅ  Ｋｈｉｍ．  Ｆｉｚ−Ｋｈｉｍ．Ｖｏｚｄｅｉｓｔｖ．Ｓｖｏｉｓｔｖａ  Ａｌｍａｚｏｖ，１９９０年，ｐ．４８−５４
【非特許文献９】トシヒロ  アンドウ（Ｔｏｓｈｉｈｉｒｏ  Ａｎｄｏ），カズオ  ヤマモト（Ｋａｚｕｏ  Ｙａｍａｍｏｔｏ），モトヒコ  イシイ（Ｍｏｔｏｈｉｋｏ  Ｉｓｈｉｉ），ムツカズ  カモ（Ｍｕｔｓｕｋａｚｕ  Ｋａｍｏ），及びヨイチロウ  サトウ（Ｙｏｉｃｈｉｒｏ  Ｓａｔｏ），「ダイヤモンド表面の気相酸化  拡散反射率フーリエ変換赤外線及び温度プログラム化された脱着スペクトルによる酸素中での研究（Ｖａｐｏｕｒ−Ｐｈａｓｅ  Ｏｘｉｄａｔｉｏｎ  ｏｆ  Ｄｉａｍｏｎｄ  Ｓｕｒｆａｃｅｓ  ｉｎ  Ｏ2  Ｓｔｕｄｉｅｄ  Ｂｙ  Ｄｉｆｆｕｓｅ  ｒｅｆｌｅｃｔａｎｃｅ  Ｆｏｕｒｉｅｒ−Ｔｒａｎｓｆｏｒｍ  Ｉｎｆｒａｔｅｄ  ａｎｄ  Ｔｅｍｐｅｒａｔｕｒｅ−Ｐｒｏｇｒａｍｍｅｄ  Ｄｅｓｏｒｐｔｉｏｎ  Ｓｐｅｃｔｒｏｓｃｏｐｙ）」，Ｊ．Ｃｈｅｍ．Ｓｏｃ．Ｆａｒａｄａｙ  Ｔｒａｎｓ．，１９９３年，第８９巻，第１９号，ｐ．３６３５−３６４０
【非特許文献１０】リサ  Ｍ．ストラック（Ｌｉｓａ  Ｍ．Ｓｔｒｕｃｋ），及びマーク  Ｐ．デエバリン（Ｍａｒｋ  Ｐ．Ｄ’Ｅｖｅｌｙｎ），「ダイヤモンドを用いた水素と水との相互作用（Ｉｎｔｅｒａｃｔｉｏｎ  ｏｆ  Ｈｙｄｒｏｇｅｎ  ａｎｄ  Ｗａｔｅｒ  Ｗｉｔｈ  Ｄｉａｍｏｎｄ（１００）：Ｉｎｆｒａｒｅｄ  Ｓｐｅｃｔｒｏｓｃｏｐｙ）」，Ｊ．Ｖａｃ．Ｓｃｉ．Ｔｅｃｈｎｏｌ．Ａ．，１９９３年７月／８月，第１１巻，第４号，ｐ．１９９２−１９９７
【非特許文献１１】ＥＰ  スミノブ（ＥＰ  Ｓｍｉｒｎｏｖ）、ＥＫ  ゴルデブ（ＳＫ  Ｇｏｒｄｅｅｖ）、ＳＩ  コルトソブ（ＳＩ  Ｋｏｌ’ｔｓｏｖ）、ＶＢ  アレスコブスキ（ＶＢ  Ａｌｅｓｋｏｖｓｋｉｉ），「ダイヤモンド表面におけるハロゲン（Ｓｙｎｔｈｅｓｉｓ  ｏｆ  Ｈａｌｉｄｅ  Ｆｕｎｃｔｉｏｎａｌ  Ｇｒｏｕｐｓ  ｏｎ  ｔｈｅ  Ｓｕｒｆａｃｅ  ｏｆ  Ｄｉａｍｏｎｄ）」、（Ｚｈｕｒｎａｌ  Ｐｒｉｋｌａｄｎｏｉ  Ｋｈｉｍｉ）、１９７８年、第５１巻、第１１号、Ｐ．２４５１−２４５５
【非特許文献１２】ＣＫ  ゴルデブ（ＣＫ  Ｇｏｒｄｅｅｖ），ＥＰ  スミノブ（ＥＰ  Ｓｍｉｒｎｏｖ），及びＶＢ  アレスコブスキ（ＶＢ  Ａｌｅｓｋｏｖｓｋｉｉ）、「ダイヤモンド表面の置換反応における官能基の相互影響（Ｍｕｔｕａｌ  Ｉｎｆｌｕｅｎｃｅ  ｏｆ  Ｆｕｎｃｔｉｏｎａｌ  Ｇｒｏｕｐｓ  ｉｎ  Ｓｕｂｓｔｉｔｕｔｉｏｎ  Ｒｅａｃｔｉｏｎｓ  Ｏｎ  Ｄｉａｍｏｎｄ  Ｓｕｒｆａｃｅ）」，Ｄｏｋｌａｄｙ  Ａｋａｄｅｍｉｉ  Ｎａｕｋ  ＳＳＳＲ，１９８２年，第２６１巻，第１号，ｐ．６−８
【非特許文献１３】トシヒロ  アンドウ（Ｔｏｓｈｉｈｉｒｏ  Ａｎｄｏ），カズオ  ヤマモト（Ｋａｚｕｏ  Ｙａｍａｍｏｔｏ），シゲル  スエハラ（Ｓｈｉｇｅｒｕ  Ｓｕｅｈａｒａ），ムツカズ  カモ（Ｍｕｔｓｕｋａｚｕ  Ｋａｍｏ），ヨイチロウ  サトウ（Ｙｏｉｃｈｉｒｏ  Ｓａｔｏ），シンジ  シモサキ（Ｓｈｉｎｊｉ  Ｓｈｉｍｏｓａｋｉ），及びミッカ  ニシタニ−ガモ（Ｍｉｋｋａ  Ｎｉｓｈｉｔａｎｉ−Ｇａｍｏ），「ダイヤモンド表面における塩素と水素の相互作用（Ｉｎｔｅｒａｃｔｉｏｎ  ｏｆ  Ｃｈｌｏｒｉｎｅ  Ｗｉｔｈ  Ｈｙｄｒｏｇｅｎａｔｅｄ  Ｄｉａｍｏｎｄ  Ｓｕｒｆａｃｅ）」，中国化学雑誌（Ｊｏｕｒｎａｌ  ｏｆ  ｔｈｅ  Ｃｈｉｎｅｓｅ  Ｃｈｅｍｉｃａｌ  Ｓｏｃｉｅｔｙ），１９９５年，第４２巻，ｐ．２８５−２９２
【非特許文献１４】トシヒロ  アンドウ（Ｔｏｓｈｉｈｉｒｏ  Ａｎｄｏ）、ミッカ  ニシタニ−ガモ（Ｍｉｋｋａ  Ｎｉｓｈｉｔａｎｉ−ｇａｍｏ），ロビン  Ｅ．ローレス（Ｒｏｂｉｎ  Ｅ．Ｒａｗｌｅｓ），カズオ  ヤマモト（Ｋａｚｕｏ  Ｙａｍａｍｏｔｏ），ムツカズ  カモ（Ｍｕｔｓｕｋａｚｕ  Ｋａｍｏ），ヨイチロウ  サトウ（Ｙｏｉｃｈｉｒｏ  Ｓａｔｏ），「中間状態において塩素化表面を用いたダイヤモンド表面の化学修飾（Ｃｈｅｍｉｃａｌ  Ｍｏｄｉｆｉｃａｔｉｏｎ  ｏｆ  Ｄｉａｍｏｎｄ  Ｓｕｒｆａｃｅ  Ｕｓｉｎｇ  ａ  Ｃｈｌｏｒｉｎａｔｅｄ  Ｓｕｒｆａｃｅ  ａｓ  ａｎ  Ｉｎｔｅｒｍｅｄｉａｔｅｄ  Ｓｔａｔｅ）」，エレセヴィエア  ダイヤモンドと関連物質（Ｅｌｓｅｖｉｅｒ  Ｄｉａｍｏｎｄ  ａｎｄ  Ｒｅｌａｔｅｄ  Ｍａｔｅｒｉａｌｓ），１９９６年，第５巻，ｐ．１１３６−１１４２
【非特許文献１５】トシヒロ  アンドウ（Ｔｏｓｈｉｈｉｒｏ  Ａｎｄｏ），モトヒロ  イシイ（Ｍｏｔｏｈｉｒｏ  Ｉｓｈｉｉ），ムツカズ  カモ（Ｍｕｔｕｋａｚｕ  Ｋａｍｏ），及びヨイチロウ  サトウ（Ｙｏｉｃｈｉｒｏ  Ｓａｔｏ），「拡散反射フーリエ変換赤外線によって研究されたダイヤモンド表面の熱水素化  温度プログラム化された脱着及びレーザーラマンスペクトル（Ｔｈｅｒｍａｌ  Ｈｙｄｒｏｇｅｎａｔｉｏｎ  ｏｆ  Ｄｉａｍｏｎｄ  Ｓｕｒｆａｃｅｓ  Ｓｔｕｄｉｅｄ  Ｂｙ  ｄｉｆｆｕｓｅ  ｒｅｆｌｅｃｔａｎｃｅ  Ｆｏｕｒｉｅｒ−Ｔｒａｎｓｆｏｒｍ  Ｉｎｆｒａｒｅｄ，Ｔｅｍｐｅｒａｔｕｒｅ−Ｐｒｏｇｒａｍｍｅｄ  Ｄｅｓｏｒｐｔｉｏｎ  ａｎｄ  Ｌａｓｅｒ  Ｒａｍａｎ  Ｓｐｅｃｔｒｏｓｃｏｐｙ）」，Ｊ．Ｃｈｅｍ．Ｓｏｃ．Ｆａｒａｄａｙ  Ｔｒａｎｓ．，１９９３年，第８９巻，第１１号，ｐ．１７８３−１７８９
【非特許文献１６】ＧＴ  ワング（ＧＴ  Ｗａｎｇ）、ＳＦ  ベント（ＳＦ  Ｂｅｎｔ）、ＪＮ  ラッセル，ジュニア（ＪＮ  Ｒｕｓｓｅｌｌ，Ｊｒ．）、ＪＥ  バトラー（ＪＥ  Ｂｕｔｌｅｒ）、及びＭＰ  デエバリン（ＭＰ  Ｄ’Ｅｖｅｌｙｎ）、「ディールスアルダー化学によるダイヤモンドの官能基化（１００）（Ｆｕｎｃｔｉｏｎａｌｉｚａｔｉｏｎ  ｏｆ  Ｄｉａｍｏｎｄ（１００）  ｂｙ  Ｄｉｅｌｓ−Ａｌｄｅｒ  ｃｈｅｍｉｓｔｒｙ）」，米国化学雑誌（Ｊ．Ａｍ．Ｃｈｅｍ．Ｓｏｃ．），２０００年，第１２２巻，ｐ．７４４−７４５